(57)【要約】      （修正有）【課題】ベイトリールが装着された釣竿において、良好なパーミングを実現し、タックルを自在に操作することができるサポートグリップの提供。【解決手段】このサポートグリップ１０は、リールシート１１にグリップ３１と共に取り付けられる。グリップ３１は、リールシート本体１２にねじ込まれる。サポートグリップ１０は、リールシート本体１２に固定される取付リングと、サポートブロックとを有する。取付リングは環状を呈し、リールシート本体１２に嵌め合わせられ、グリップ３１によって締結される。サポートブロックは、屋根形に形成された立体である。サポートブロックは、底面と、これに連続する左側面４０、右側面、前面及び後面４３を有する。これらは、外方に膨らんだ膨出面である。【選択図】図１
2019165656.tif 000002
【特許請求の範囲】
【請求項１】
釣用リールの脚が載置されるシート面及び当該シート面に載置された釣用リールの脚の一方を収容保持する固定フードが形成されたリールシート本体、並びに当該リールシート本体の軸方向前側に螺合され、上記脚の他方を収容保持し、上記固定フードと協働して上記脚を挟持する可動フードを有するリールシートと、上記リールシート本体の軸方向後側に螺合されたグリップとを備えた釣竿に適用され、
上記グリップにより上記リールシート本体に締結される取付部と、
当該取付部に連結され、釣人の手に当接する膨出面が形成されたサポート部とを有するサポートグリップ。
【請求項２】
上記取付部は、上記リールシート本体の径方向に挿抜自在な半リング状に形成されている請求項１に記載のサポートグリップ。
【請求項３】
上記取付部及びサポート部は、樹脂により一体的に形成されている請求項１又は２に記載のサポートグリップ。
【発明の詳細な説明】
【技術分野】
【０００１】
この発明は、釣用リールを保持するリールシートに適用されるサポートグリップの構造に関する。
【背景技術】
【０００２】
たとえば釣竿にベイトリールが装着される場合、釣人は、リールシートをベイトリールと共に把持し、その状態で釣竿を操作する。この場合、いわゆるパーミングが非常に重要となるが、その一方、ベイトリールの外形形状が複雑であることから良好なパーミングは一般に実現されにくく、タックルの操作が不安定となりやすい。そのため、従来、リールシートに様々な改良が加えられており（たとえば、特許文献１及び特許文献２参照）、パーミングがサポートされている。
【先行技術文献】
【特許文献】
【０００３】
【特許文献１】特許第３８６６５０９号公報
【特許文献２】特許第６０００１０７号公報
【発明の概要】
【発明が解決しようとする課題】
【０００４】
ところで、良好なパーミングとは、釣人の手がベイトリール及びリールシートの外縁に馴染んで当接すること（握り易いこと）であり、換言すれば、釣人の手のひらと、ベイトリール及びリールシートとの間に余計な隙間が形成されないことである。
【０００５】
本発明はかかる背景のもとになされたものであって、その目的は、ベイトリールが装着された釣竿において、良好なパーミングを実現し、タックルを自在に操作することができるサポートグリップを提供することである。
【課題を解決するための手段】
【０００６】
(1) 本発明に係るサポートグリップは、釣用リールの脚が載置されるシート面及び当該シート面に載置された釣用リールの脚の一方を収容保持する固定フードが形成されたリールシート本体、並びに当該リールシート本体の軸方向前側に螺合され、上記脚の他方を収容保持し、上記固定フードと協働して上記脚を挟持する可動フードを有するリールシートと、上記リールシート本体の軸方向後側に螺合されたグリップとを備えた釣竿に適用される。このサポートグリップは、上記グリップにより上記リールシート本体に締結される取付部と、当該取付部に連結され、釣人の手に当接する膨出面が形成されたサポート部とを有する。
【０００７】
この構成によれば、釣人は、たとえばベイトリールをリールシートに装着し、当該リールシートと共にベイトリールのボディを握り込む。このとき、リールシート本体の後側にグリップによって締結されたサポートグリップが配置されている。リールシート及びベイトリールのボディを握り込んだ釣人の手は、サポートグリップの膨出面に当接する。これにより、いわゆるフルパーミングが簡単に実現される。しかも、サポートグリップは、上記取付部を介してグリップにより締結されているから、着脱が可能である。
【０００８】
(2) 上記取付部は、上記リールシート本体の径方向に挿抜自在な半リング状に形成されているのが好ましい。
【０００９】
この構成では、グリップがリールシート本体に対して少しだけ緩められるだけで、上記取付部が簡単に着脱される。したがって、サポートグリップの交換作業や左右の取替作業が一層簡単になるという利点がある。
【００１０】
(3) 上記取付部及びサポート部は、樹脂により一体的に形成されているのが好ましい。
【００１１】
この構成では、サポートグリップが安価に構成され得る。
【発明の効果】
【００１２】
この発明によれば、サポートグリップは、グリップの取り付けと同時にリールシート本体に取り付けられる。サポートグリップに膨出面が形成されているので、釣人がリールシートを握った際に、手が膨出面に当接し、握り易くなる。このサポートグリップは交換も可能であるから、膨出面の形状が異なる複数のサポートグリップが予め用意されることにより、釣人の好みに応じてあるいは手にマッチするサポートグリップが装着され得る。その結果、容易にフルパーミングが実現される。
【図面の簡単な説明】
【００１３】
【図１】図１は、本発明の一実施形態に係るサポートグリップが装着されたリールシートの斜視図である。
【図２】図２は、本発明の一実施形態に係るサポートグリップが装着されたリールシートの側面図である。
【図３】図３は、図２におけるIII−III拡大矢視図である。
【図４】図４は、図３におけるIV−IV断面図である。
【図５】図５は、本発明の一実施形態に係るサポートグリップの側面図である。
【図６】図６は、図５におけるVI−矢視図である。
【図７】図７は、図５におけるVII−矢視図である。
【図８】図８は、本発明の一実施形態に係るサポートグリップの平面図である。
【図９】図９は、本発明の一実施形態に係るサポートグリップの底面図である。
【図１０】図１０は、図７におけるX−X断面図である。
【図１１】図１１は、本発明の一実施形態の変形例に係るサポートグリップが装着されたリールシートの斜視図である。
【図１２】図１２は、本発明の一実施形態の変形例に係るサポートグリップが装着されたリールシートの側面図である。
【図１３】図１３は、図１２におけるXIII−XIII拡大矢視図である。
【図１４】図１４は、他の変形例に係るサポートグリップの側面図である。
【図１５】図１５は、図１４におけるXV−矢視図である。
【図１６】図１６は、図１４におけるXVI−矢視図である。
【発明を実施するための形態】
【００１４】
以下、本発明の好ましい実施形態が、適宜図面が参照されながら説明される。なお、本実施の形態は、本発明に係るサポートグリップの一態様にすぎず、本発明の要旨を変更しない範囲で実施態様が変更されてもよいことは言うまでもない。
【００１５】
＜リールシートの構成＞
【００１６】
図１は、本発明の一実施形態に係るサポートグリップ１０が装着されたリールシート１１の斜視図である。
【００１７】
同図は、リールシート本体１２にベイトリール１３（特許請求の範囲に記載された「釣用リール」に相当）及びサポートグリップ１０が装着された状態を示している。
【００１８】
リールシート１１は、既知の構造であって、リールシート本体１２及び締付ナット２９を有する。リールシート本体１２は、全体として筒状を呈し、ポリアミド（ＰＡ）、ポリオキシメチレン（ＰＯＭ）のほか、炭素繊維等の繊維により強化された樹脂からなる。釣竿本体を構成するブランク１４は、リールシート本体１２の内側に軸方向１５に沿って嵌め込まれている。ブランク１４は、リールシート本体１２に対して既知の手段（たとえば接着剤）により固定される。
【００１９】
図２及び図４が示すように、リールシート本体１２は、前側１６から後側１７に向かって順に、締付パイプ部１８（図４参照）、リール保持部１９及びグリップ取付部３０（図４参照）を有している。このグリップ取付部３０にグリップ３１が設けられる。これらは既知の構造であり、締付パイプ部１８、リール保持部１９及びグリップ取付部３０は一体的に形成されている。
【００２０】
リール保持部１９の外周面２１（本実施形態では上面：図４参照）にシート面２２が形成されている。ベイトリール１３の脚２５、２６は、このシート面２２上に載置されるようになっている。シート面２２の後側１７に固定フード２３が設けられている。固定フード２３は、リールシート本体１２と一体的に形成されている。固定フード２３は、シート面２２の上方を覆うドーム状に形成されており、ベイトリール１３の一方の脚２５が固定フード２３の内部に挿入され、固定されるようになっている。
【００２１】
リール保持部１９の下面にトリガ２４が設けられている。このトリガ２４は、リール保持部１９に設けられており、下方に突出している。釣人は、安定したキャスティングを実現するため、パーミングに際して手をトリガ２４に掛ける。なお、トリガ２４の外形形状は既知であり、釣人の指が掛かりやすいように成形されている。もっとも、このトリガ２４は省略されてもよい。リール保持部１９を貫通したブランク１４の後端部にエンドグリップ３８が取り付けられる。エンドグリップ３８も既知の構造であり、その外周面は、エチレン酢酸ビニル共重合体（ＥＶＡ）その他の樹脂又はゴムやコルクからなる。
【００２２】
締付パイプ部１８の外周面に雄ネジ２０が形成されている。締付ナット２９は、既知の構造であって、ナット本体３２及び可動フード３３を備えている。ナット本体３２が上記雄ネジ２０と螺合する。可動フード３３は、ナット本体３２に対して回動自在に設けられている。ナット本体３２が上記雄ネジ２０に螺合した状態で、可動フード３３は、ナット本体３２に対して相対的に回転しつつ締付パイプ部１８に対して軸方向１５に沿ってスライドする。つまり、可動フード３３は、固定フード２３に対して接離する。可動フード３３も固定フード２３と同様にドーム状に形成されており、上記シート面２２の上方を覆うことができる。ベイトリール１３の他方の脚２６は、可動フード３３の内部に挿入されるようになっている。
【００２３】
グリップ取付部３０の後端部に雄ネジ３６（図４参照）が形成されている。グリップ３１は、既知の構造であり、グリップ本体３４及び締結ナット３５を有する。グリップ本体３４は円筒状を呈し、その外周面は、エチレン酢酸ビニル共重合体（ＥＶＡ）その他の樹脂又はゴムやコルクからなる。グリップ本体３４は、締結ナット３５に対して回動自在に設けられている。締結ナット３５が上記雄ネジ３６に螺合した状態で、グリップ本体３４は、締結ナット３５に対して相対的に回転しつつ、グリップ取付部３０に対して軸方向１５に沿ってスライドする。つまり、締結ナット３５が操作されることにおり、グリップ本体３４がリール保持部１９の後端部３７に締結される。
【００２４】
図４が示すように、ベイトリール１３の一方の脚２５が固定フード２３に挿入された状態で、ナット本体３２が操作される。これにより、可動フード３３が後側１７にスライドして固定フード２３に近接し、ベイトリール１３の他方の脚２６が可動フード３３内に挿入される。ナット本体３２が締め込まれることにより、上記脚２５、２６が固定フード２３及び可動フード３３によって挟持され、ベイトリール１３がリールシート本体１２に固定される。
【００２５】
＜サポートグリップの構成＞
【００２６】
図５、図８及び図９は、それぞれ、上記サポートグリップ１０の側面図、平面図及び底面図である。図６及び図７は、それぞれ、図５におけるVI−矢視図及びVII−矢視図である。図１０は、図７におけるX−X断面図である。
【００２７】
図１、図３及び図４が示すように、サポートグリップ１０は、ベイトリール１３と共にリールシート本体１２に装着されるようになっている。本実施形態において、図中矢印２７、２８は、それぞれ左側及び右側を示し、これらの図が示すように、本実施形態では、サポートグリップ１０は、リールシート本体１２の右側２８の斜め上方に突出するように配置されている（図３参照）。
【００２８】
図５〜図１０が示すように、サポートグリップ１０は、リールシート本体１２に固定される取付リング５１（特許請求の範囲に記載された「取付部」に相当）と、取付リング５１に設けられたサポートブロック５２（特許請求の範囲に記載された「サポート部」に相当）とを有する。これらは樹脂により一体的に形成されている。もっとも、これらが別部材として構成され、両者が組み付けられてもよい。
【００２９】
サポートブロック５２は、たとえばポリアミド（ＰＡ）、ポリオキシメチレン（ＰＯＭ）その他の樹脂からなる。サポートブロック５２は、屋根形に形成された立体であり、底面３９、左側面４０、右側面４１、前面４２及び後面４３を有する。左側面４０及び右側面４１は、それぞれ、底面３９の左側縁及び右側縁に連続し、上方に延びている。両者は、図６が示すように、互いに均等且つ対称に接近し、頂部４４で連続している。
【００３０】
左側面４０及び右側面４１は、同図が示すように外方に膨れた膨出面である。左側面４０及び右側面４１の曲率半径は特に限定されるものではないが、パーミングに際して釣人の手が馴染むように設計される。後面４３は、底面３９の後縁に連側し、上方且つ前側１６に延びている。後面４３は、図６が示すように前側１６に傾斜しつつ左側面４０及び右側面４１と連続し、上記頂部４４で三者が連続している。後面４３も同図が示すように外方に膨れた膨出面である。後面４３の曲率半径も特に限定されるものではないが、パーミングに際して釣人の手が馴染むように設計される。
【００３１】
図１０が示すように、上記底面３９は、いわゆる肉抜き加工が施されており、サポートブロック５２の軽量化が図られている。
【００３２】
取付リング５１は、サポートブロック５２の底面３９に設けられており、サポートブロック５２と一体的に形成されている。取付リング５１は、同図が示すように円環状を呈する。取付リング５１の内径寸法は、リール保持部１９の後端部３７の外径に対応しており、図４が示すように、リール保持部１９の後端部３７に軸方向１５に沿って嵌め合わせられている。
【００３３】
本実施形態では、図１０が示すように、取付リング５１の内周面４５に段部４６が形成されている。この段部４６がリール保持部１９の後端部３７と係合し、両者が位置決めされるようになっている（図４参照）。もっとも、この段部４６は省略されてもよい。また、図５が示すように、取付リング５１の外周面４７にも段部４８が形成されている。図４が示すように、この段部４８にグリップ本体３４が嵌合するようになっている。これにより、グリップ本体３４がサポートグリップ１０に位置決めされる。もっとも、この段部４８も省略され得る。
【００３４】
＜作用効果＞
【００３５】
釣人は、たとえばベイトリール１３を前述の要領でリールシート本体１２に装着すると共に、グリップ３１を前述の要領でリールシート本体１２のグリップ取付部３０にねじ込んで固定する。このとき、予めサポートグリップ１０の取付リング５１がグリップ取付部３０に嵌め合わせられる。つまり、グリップ３１がグリップ取付部３０に螺合される際に、取付リング５１が両者間に挟み込まれ、グリップ３１の取り付けと同時にサポートグリップ１０も取り付けられる。特に、取付リング５１が環状に形成されているから、リールシート本体１２に対するサポートブロック５２の姿勢を任意に設定することができる。本実施形態では、図１及び図３が示すように、サポートブロック５２は、右側２８に傾斜した姿勢に設定されている。
【００３６】
釣人は、リールシート１１と共にベイトリール１３のボディを握り込む。リールシート本体１２の後方にグリップ３１によって締結されたサポートグリップ１０が配置されているので、リールシート１１及びベイトリール１３を握り込んだ釣人の手は、サポートブロック５２の上記左側面４０、右側面４１及び後面４３に当接する。これらは、前述のような膨出面であるから、釣人の手がサポートブロック５２に当接しつつリールシート１１及びベイトリール１３のボディに馴染むように当接する。これにより、いわゆるフルパーミングが簡単に実現される。
【００３７】
しかも、サポートグリップ１０は、グリップ３１によりリールシート本体１２に締結されているから、グリップ３１の操作によってリールシート本体１２に対して着脱、交換も可能である。したがって、上記左側面４０、右側面４１及び後面４３の形状が異なる複数のサポートグリップが予め用意されることにより、釣人の好みに応じてあるいは手にマッチするサポートグリップが装着され得る。
【００３８】
＜変形例＞
【００３９】
図１１は、本発明の一実施形態の変形例に係るサポートグリップ１０が装着されたリールシート１１の斜視図である。図１２は、当該変形例に係るサポートグリップ１０が装着されたリールシート１１の側面図である。図１３は、図１２におけるXIII−XIII拡大矢視図である。
【００４０】
この変形例では、サポートグリップ１０が左側２７に傾斜した姿勢で使用されている。つまり、上記実施形態では、図３が示すように、サポートブロック５２が右側２８に傾斜し、斜め上方に突出した姿勢であるが、本変形例では、サポートブロック５２が左側２７に傾斜し、斜め上方に突出した姿勢である。前述のように、取付リング５１が環状に形成されているから（図６及び図７参照）、この取付リング５１がリールシート本体１２に対して回転されることにより、簡単にサポートブロック５２の姿勢を変化させることができる。これにより、釣人の好みやロッドを把持する癖に対応して良好なフルパーミングが実現される。また、たとえばベイトリール１３のハンドルの位置が左右に変更された場合等であっても、これに迅速に対応することができるという利点がある。
【００４１】
図１４は、他の変形例に係るサポートグリップの側面図である。図１５は、図１４におけるXV−矢視図である。図１６は、図１４におけるXVI−矢視図である。
【００４２】
この変形例に係るサポートグリップ１０が上記実施形態に係るサポートグリップ１０と異なるところは、取付リング５１が、図１４〜図１６が示すような半リング状に形成されている点である。なお、その他の構成については、上記実施形態と同様である。
【００４３】
この変形例では、グリップ３１が操作され、リールシート本体１２に対して少しだけ緩められるだけで、取付リング５１の締結が緩み、リールシート本体１２に対して簡単に着脱される。その結果、サポートグリップ１０の交換作業等が一層簡単になるという利点がある。
【符号の説明】
【００４４】
１０・・・サポートグリップ
１１・・・リールシート
１２・・・リールシート本体
１３・・・ベイトリール
１４・・・ブランク
１５・・・軸方向
１８・・・締付パイプ部
１９・・・リール保持部
２２・・・シート面
２３・・・固定フード
２５・・・脚
２６・・・脚
２９・・・締付ナット
３０・・・グリップ取付部
３１・・・グリップ
３２・・・ナット本体
３３・・・可動フード
３４・・・グリップ本体
３５・・・締結ナット
３７・・・後端部
３９・・・底面
４０・・・左側面
４１・・・右側面
４２・・・前面
４３・・・後面
５１・・・取付リング
５２・・・サポートブロック
【図１】
2019165656.tif 000003
【図２】
2019165656.tif 000004
【図３】
2019165656.tif 000005
【図４】
2019165656.tif 000006
【図５】
2019165656.tif 000007
【図６】
2019165656.tif 000008
【図７】
2019165656.tif 000009
【図８】
2019165656.tif 000010
【図９】
2019165656.tif 000011
【図１０】
2019165656.tif 000012
【図１１】
2019165656.tif 000013
【図１２】
2019165656.tif 000014
【図１３】
2019165656.tif 000015
【図１４】
2019165656.tif 000016
【図１５】
2019165656.tif 000017
【図１６】
2019165656.tif 000018